(57)【要約】【課題】熟練した利用者でなくとも、電力系統の把握に時間を浪費せず、作業遅延につながらない電力系統監視制御システムを提供することを目的とする。【解決手段】本発明に係る電力系統監視制御システム１は、利用者の情報を示す利用者特定情報が記憶された利用者データ記憶手段７と、入力情報と利用者特定情報とから利用者を特定し、利用者情報を出力する利用者特定手段６と、利用者情報と操作手順とから利用者の操作パターンを作成し、操作パターンデータ記憶手段に記憶する操作パターン作成手段８と、各利用者の操作パターンを比較し、利用者の操作パターンが他の利用者より効率的でないと判断された場合に改善信号を出力する操作パターン比較手段１０と、改善信号を受信し、操作パターンデータ記憶手段９に記憶された各利用者の操作パターンの中から、効率の良いパターンを表示手段に表示する改善パターン作成手段１１とを備えることを特徴とする。【選択図】図１
2012008986.tif 000002
【特許請求の範囲】
【請求項１】
利用者が操作手段を操作する操作内容に応じて表示手段に操作結果を表示する電力系統に設置された電気設備の監視制御を行う電力系統監視制御システムであって、
利用者の情報を示す利用者特定情報が記憶された利用者データ記憶手段と、
利用者により前記操作手段に入力された入力情報と、前記利用者データ記憶手段に記憶された利用者特定情報とを比較し、利用者を特定し、特定した利用者の情報を示す利用者情報を出力する利用者特定手段と、
前記利用者特定手段から出力された前記利用者情報と、特定された利用者が操作手段を操作する操作手順とに基づいて、特定された利用者の操作パターンを作成し、操作パターンデータ記憶手段に記憶する操作パターン作成手段と、
前記操作パターンデータ記憶手段に記憶された各利用者の操作パターンを比較し、操作手段を操作する利用者の操作パターンが他の利用者より効率的でないと判断された場合に改善信号を出力する操作パターン比較手段と、
前記操作パターン比較手段から出力された前記改善信号を受信すると、前記操作パターンデータ記憶手段に記憶された各利用者の操作パターンの中から、効率の良いパターンを抽出し、前記表示手段に表示する改善パターン作成手段とを
備えることを特徴とする電力系統監視制御システム。
【請求項２】
前記利用者特定手段は、前記利用者情報を前記表示手段に出力し、
前記利用者情報を受信した前記表示は、前記操作手段を操作している利用者が特定されていることを示す個人モード情報を表示することを特徴とする請求項１記載の電力系統監視制御システム。
【請求項３】
前記操作手段及び前記表示手段を複数備えることを特徴とする請求項１又は２記載の電力系統監視制御システム。
【請求項４】
前記表示手段を複数備え、
利用者の前記操作手段を操作する操作内容に対応した表示を表示する表示手段と、前記改善パターン作成手段により抽出された、効率の良いパターンを表示する表示手段とが異なることを特徴とする請求項１乃至３のいずれか１項記載の電力系統監視制御システム。
【発明の詳細な説明】
【技術分野】
【０００１】
本発明の実施形態は電力系統に設置された電気設備の状態を監視制御する電力系統監視制御システムに関する。
【背景技術】
【０００２】
発電所、変電所等に設置された電力系統設備の状態を監視、制御するために、電力系統監視制御システムが多く用いられる。（例えば特許文献１）この従来の電力系統監視制御システムの構成を図７に示す。
【０００３】
図７に示す従来の電力系統監視制御システム１は、伝送路２を介して電力系統と接続されている。電力系統に設置された電気設備の状態を制御する制御信号（例えば、Ａ電気所のＢ遮断器に投入指令を出力する、等）を制御対象となる電気設備に出力している。また、電力系統に設置された電気設備に状態変化（以下、状変とする）があった場合（事故発生時に遮断器が開極した、等）、この状変の情報を含む監視信号を、伝送路２を介して受信している。
【０００４】
また、電力系統監視制御システム１は操作部３、監視制御部４、表示部５を備える。電気設備の状態を制御する場合、利用者が操作部３を操作し、その操作内容が監視制御部４に伝えられ、監視制御部４がその操作内容に応じた制御信号を電気設備に送信する。電力系統の状態を監視する場合、電力系統に設置された電気設備に状変があった場合、この状変の情報を含む監視信号を監視制御部４が受信し、この受信した監視信号から状変の情報を抽出し、表示部５に表示する。
【０００５】
電力系統に設置された電気設備の状態を制御する場合のうち、事故復旧作業や系統切替作業などの場合には、作業の迅速性と操作手順の正確性が求められる。従来、このような電力系統の事故復旧作業や系統切替作業の状況把握は、熟練した電力系統監視制御システム利用者が経験に基づき、電力系統の単線結線図や電力系統の潮流図等を確認している。
【先行技術文献】
【特許文献】
【０００６】
【特許文献１】特開２００９−１１２０９３
【発明の概要】
【発明が解決しようとする課題】
【０００７】
電力系統の設備は、年々、複雑化・大規模化しており、電力系統監視制御システム利用者の経験や勘による操作では、電力系統の把握に時間を浪費し、作業遅延につながっている。
【０００８】
本発明の実施形態は、上述した課題を解決するものであり、熟練した電力系統監視制御システム利用者でなくとも、電力系統の把握に時間を浪費せず、作業遅延につながらない電力系統監視制御システムを提供することを目的とする。
【課題を解決するための手段】
【０００９】
本発明にかかる電力系統監視制御システムは、利用者が操作手段を操作する操作内容に応じて表示手段に操作結果を表示する電力系統に設置された電気設備の監視制御を行う電力系統監視制御システムであって、利用者の情報を示す利用者特定情報が記憶された利用者データ記憶手段と、利用者により前記操作手段に入力された入力情報と、前記利用者データ記憶手段に記憶された利用者特定情報とを比較し、利用者を特定し、特定した利用者の情報を示す利用者情報を出力する利用者特定手段と、前記利用者特定手段から出力された前記利用者情報と、特定された利用者が操作手段を操作する操作手順とに基づいて、特定された利用者の操作パターンを作成し、操作パターンデータ記憶手段に記憶する操作パターン作成手段と、前記操作パターンデータ記憶手段に記憶された各利用者の操作パターンを比較し、操作手段を操作する利用者の操作パターンが他の利用者より効率的でないと判断された場合に改善信号を出力する操作パターン比較手段と、前記操作パターン比較手段から出力された前記改善信号を受信すると、前記操作パターンデータ記憶手段に記憶された各利用者の操作パターンの中から、効率の良いパターンを抽出し、前記表示手段に表示する改善パターン作成手段とを備えることを特徴とする。
【発明の効果】
【００１０】
本発明の実施形態によれば、熟練した電力系統監視制御システム利用者でなくとも、電力系統の把握に時間を浪費せず、作業遅延につながらない電力系統監視制御システムを提供すること可能である。
【図面の簡単な説明】
【００１１】
【図１】本発明に係る電力系統監視制御システムの第１の実施形態における構成を示す図。
【図２】本発明に係る電力系統監視制御システムの第１の実施形態における操作パターンの一例を示す図。
【図３】本発明に係る電力系統監視制御システムの第１の実施形態における動作を示すフローチャート。
【図４】本発明に係る電力系統監視制御システムの第２の実施形態における構成を示す図。
【図５】本発明に係る電力系統監視制御システムの第３の実施形態における構成を示す図。
【図６】本発明に係る電力系統監視制御システムの第４の実施形態における構成を示す図。
【図７】従来の電力系統監視制御システムの構成を示す図。
【発明を実施するための形態】
【００１２】
（第１の実施形態）
本発明に係る電力系統監視制御システムの第１の実施形態について図１を参照して説明する。図１は本実施形態の構成を示す図である。
【００１３】
本実施形態の電力系統監視制御システム１は、
電力系統監視制御システム１は、操作部３、監視制御部４、表示部５、利用者特定部６、利用者データ記憶部７、操作パターン作成部８、操作パターンデータ記憶部９、操作パターン比較部１０、改善パターン作成部１１から構成される。操作部３、監視制御部４、表示部５は、従来の電力系統監視制御システムと同一の構成であるため、説明は省略する。
【００１４】
利用者特定部６は、利用者によって操作部３に入力された入力情報と、利用者データ記憶部７に記憶された利用者特定情報とを比較し、利用者を特定する。さらに、特定した利用者の情報を示す利用者情報を操作パターン作成部８及び操作パターン比較部１０に出力する。
【００１５】
ここで、利用者が操作部３に入力する入力情報は、各利用者に対して個別に与えられたＩＤ番号の入力やＩＣチップの入力、利用者の生体認証（指紋読取、網膜認証等）などが考えられるが、各利用者を区別可能な情報であれば良い。また、利用者データ記憶部７に記憶された利用者特定情報は、前述した入力情報に対応し、事前に記憶された情報である。つまり、利用者特定情報は利用者が入力した入力情報と照合するために事前に設定、記憶された情報を示す。
【００１６】
操作パターン作成部８は、利用者特定部６から出力された利用者情報と、利用者が操作部３を操作する操作手順とに基づいて、特定された利用者の操作パターンを示す情報を操作パターンデータ記憶部９に記憶させる。ここで、特定された利用者の操作パターンを示す情報の例を図２に示す。
【００１７】
図２は利用者Ａ、Ｂ、Ｃが初期画面１から目標画面５を表示するまでに経由した画面を示す「経由画面」と、画面を遷移した回数を示す「遷移回数」、初期画面１から目標画面５を表示するまでに要した時間を示す「表示時間」が記されている。例えば、利用者Ａが初期画面１から目標画面５を表示するまでに、画面２及び画面３を経由しており、画面の「遷移回数」は３回、「表示時間」は１０ｓｅｃであることを示している。
【００１８】
操作パターン比較部１０は、操作パターン作成部８により作成され、操作パターンデータ記憶部９に記憶された各利用者の操作パターンを比較し、利用者特定部６によって特定された利用者の操作パターンが他の利用者より効率的でないと判断された場合は、改善パターン作成部１１に改善信号を出力する。
【００１９】
改善パターン作成部１１は、操作パターン比較部１０から改善信号を受信すると、操作パターンデータ記憶部９に記憶された各利用者の操作パターンの中から、最も効率の良いパターンを抽出し、表示部５に表示する。
【００２０】
ここで、操作パターン比較部１０により各利用者の操作パターンが効率的であるか否かを判断する場合や、改善パターン作成部１１により各利用者の操作パターンの中から最も効率の良いパターン抽出する判断基準は、本電力系統監視制御システムの管理者又は製造者によって自由に設定できる。例えば、図２に示す「遷移回数」又は「表示時間」が最も優れるか否かを判断しても良い。
【００２１】
次に、本実施形態の電力系統監視制御システムの動作について、図３を用いて説明する。図３は、本実施形態の電力系統監視制御システムのフローチャートを示している。
【００２２】
利用者特定ステップＳ１は、利用者特定部６により利用者が特定されたか否かを判断するステップであり、利用者特定部６により利用者が特定されていないと判断された場合は、フローを終了し、従来の電力系統監視制御システムと同様の監視制御動作を行う。利用者特定部６により利用者が特定されたと判断された場合は、操作パターン記憶ステップＳ２に移行する。
【００２３】
操作パターン記憶ステップＳ２は、操作パターン作成部８により、利用者特定部６から出力された利用者情報と、利用者が操作部３を操作する操作パターンとに基づいて、特定された利用者の操作パターンを示す情報を操作パターンデータ記憶部９に記憶させるステップを示している。
【００２４】
操作パターン比較ステップＳ３は、操作パターン記憶ステップＳ２により操作パターンデータ記憶部９に記憶された各利用者の操作パターンを比較し、利用者特定部６によって特定された利用者の操作パターンが、他の利用者より効率的であるか否かを判断するステップである。特定された利用者の操作パターンが、他の利用者より効率的であると判断された場合は、フローを終了する。特定された利用者の操作パターンが、他の利用者より効率的でないと判断された場合は、改善案表示ステップＳ４に移行する。
【００２５】
改善案表示ステップＳ４は、改善パターン作成部１１が、操作パターン比較部１０から改善信号を受信すると、操作パターンデータ記憶部９に記憶された各利用者の操作パターンの中から、最も効率の良いパターンを抽出し、表示部５に表示するステップである。最も効率の良いパターンを表示部５に表示した後は、フローを終了する。
【００２６】
本実施形態によれば、各利用者の中で最も効率的な操作パターン（画面遷移情報）を表示させることができるため、熟練した電力系統監視制御システム利用者でなくとも、電力系統の把握に時間を浪費せず、作業遅延につながらない電力系統監視制御システムを提供すること可能である。
【００２７】
（第２の実施形態）
本発明に係る電力系統監視制御システムの第２の実施形態について、図４を用いて説明する。図４は、本実施形態の電力系統監視制御システムの構成を示す図である。本実施形態が第１の実施形態と同一の構成には同一の符号を付し、説明は省略する。
【００２８】
本実施形態の構成が第１の実施形態の構成と異なる点は、利用者特定手段６により利用者が特定された場合に、特定した利用者の情報を示す利用者情報を表示部５に出力している点である。
【００２９】
利用者特定部６から出力された利用者情報を受信した表示部５は、操作部３を操作している利用者が特定されていることを示す個人モード情報を表示する。例えば、「プライベートモード」や「Ａ（利用者名）使用中」という表示をしても良い。
【００３０】
本実施形態によれば、第１の実施形態の効果に加え、利用者が操作パターンを記憶されていることを認識することができる。また、特定された利用者以外の者も、操作部３が特定された利用者が操作中であることを認識することができるため、特定された利用者の操作パターンが記憶されている際に、他者が利用することを防ぐことが可能である。
【００３１】
（第３の実施形態）
本発明に係る電力系統監視制御システムの第３の実施形態について、図５を用いて説明する。図５は、本実施形態の電力系統監視制御システムの構成を示す図である。本実施形態が第１の実施形態と同一の構成には同一の符号を付し、説明は省略する。
【００３２】
本実施形態が第１の実施形態の構成と異なる点は、複数の操作部３−１〜３−３と複数の表示部５−１〜５−３を備える点である。
【００３３】
表示部５−１の表示は、操作部３−１の操作に対応しており、同様に、表示部５−２、５−３は夫々、操作部３−２、３−３の操作に対応している。ここで操作部３−１〜３−３は何れも同一の電力系統の監視制御を行っている。
【００３４】
上記のように構成された本実施形態の動作は、第１の実施形態と同様であるため、説明は省略する。
【００３５】
本実施形態によれば、第１の実施形態の効果に加え、複数の利用者によって操作部３を操作できるため、電気設備の監視制御を、複数人で効率的に操作を行える。
【００３６】
（第４の実施形態）
本発明に係る電力系統監視制御システムの第４の実施形態について、図６を用いて説明する。図５は、本実施形態の電力系統監視制御システムの構成を示す図である。本実施形態が第１の実施形態と同一の構成には同一の符号を付し、説明は省略する。
【００３７】
本実施形態の構成が第１の実施形態と異なる点は、操作部３の操作に対応する複数の表示部５、５´を備える点である。
【００３８】
表示部５´は、利用者特定部６によって利用者が特定された場合は、改善パターン作成部１１によって作成された改善パターンを表示している。このとき、表示部５では、電力系統の監視制御操作が可能である。
【００３９】
本実施形態によれば、第１の実施形態の効果に加え、１つの操作部３に対して、複数の表示部５、５´を用いることによって、改善パターンを表示することによって、監視制御操作を妨げない。
【００４０】
なお、第１乃至４の実施形態では、操作パターンとして「経由画面」「遷移回数」「表示時間」を用いているが、電力系統監視制御システムに内部時計を設け、利用者が操作部３にて操作を行った時間を、上記操作パターンと共に記憶しても良い。
【００４１】
時間と共に操作パターンを記憶し、その操作パターンを表示部５に表示することで、利用者は、操作パターンを認識することとが出来る。つまり、定期的な操作（例えば、毎日午後１２時にＡ変電所のＢ遮断器を開極する、等）を行う場合、以前に行った操作パターンを参考に、現在の操作を行うことが可能である。
【００４２】
ここで、表示部５に表示された操作パターンを選択することによって、自動でその選択された操作パターンを実行するとしても良い。
【符号の説明】
【００４３】
１…電力系統監視制御システム
２…伝送路
３、３−１、３−２、３−３…操作部
４…監視制御部
５、５−１、５−２、５−３…表示部
６…利用者特定部
７…利用者データ記憶部
８…操作パターン作成部
９…操作パターンデータ記憶部
１０…操作パターン比較部
１１…改善パターン作成部
【図１】
2012008986.tif 000003
【図２】
2012008986.tif 000004
【図３】
2012008986.tif 000005
【図４】
2012008986.tif 000006
【図５】
2012008986.tif 000007
【図６】
2012008986.tif 000008
【図７】
2012008986.tif 000009